(57)【特許請求の範囲】
【請求項１】
給水源から供給される洗浄水によって洗浄されて汚物を排出する水洗大便器であって、
ボウル部と、
このボウル部の後方に設けられた機能部と、
上記ボウル部の下方に入口部が接続されて、上記ボウル部内の汚物を排出する排水路と、
上記ボウル部、上記機能部、及び上記排水路のそれぞれについて側方から覆うように設けられたスカート部と、
このスカート部に対して回動可能に設けられて上記ボウル部を上方から覆う便蓋と、を有し、
上記スカート部は、上記ボウル部よりも後方且つ上方の上端部における左右方向の中間部において下方に向かって凹状に切り欠いた切欠き部を形成し、この切欠き部の内側には、上記便蓋の回動軸が回動可能に取り付けられるヒンジ部が設けられていることを特徴とする水洗大便器。
【請求項２】
上記ヒンジ部は、その位置が前後方向に調整可能に上記切欠き部の内側に設けられている請求項１記載の水洗大便器。
【請求項３】
上記切欠き部には、上記機能部の一部が配置されている請求項１又は２に記載の水洗大便器。
【請求項４】
上記便蓋は、上記ボウル部を上方から覆うと共に、上記スカート部を上方から覆うように構成されている請求項１記載の水洗大便器。
【発明の詳細な説明】
【技術分野】
【０００１】
本発明は、水洗大便器に係り、特に、給水源から供給される洗浄水によって洗浄されて汚物を排出する水洗大便器に関する。
【背景技術】
【０００２】
従来から、給水源から供給される洗浄水によって洗浄されて汚物を排出する水洗大便器として、例えば、特許文献１に記載されているように、便器本体の後端面が壁面に固定されて、壁面の排水管に接続される壁排水式の水洗大便器が知られている。このような水洗大便器においては、便器本体のボウル部の後方側には、電磁フラッシュバルブ等の給水制御手段を収納するための収納空間が形成されており、この収納空間の後方側の便器本体の後端面には、切欠きからなる後部開口が壁面の排水管が通過可能に形成されている。
また、便器本体の後部における収納空間の上部開口には、カバーが着脱可能に装着されており、このカバーには、便座及び便蓋が回動可能に取り付けられるヒンジ部が設けられている。
【０００３】
つぎに、特許文献２に記載されているように、便器本体の後部において、ボウル部内にリム洗浄及びジェット洗浄を行うための洗浄水の供給を制御する弁機構を含む洗浄水供給手段が収納される収納室が設けられている水洗大便器についても知られている。この収納室の後方側の壁面には、水道管に接続される接続部材を挿通させる挿通口が切欠き状に形成されている。
また、収納室の前側の便器本体の上面には、便座及び便蓋が回動可能に取り付けられるヒンジ部が設けられている。
【先行技術文献】
【特許文献】
【０００４】
【特許文献１】特開平１０−１２１５５４号公報
【特許文献２】特開２００２−８１１１７号公報
【発明の概要】
【発明が解決しようとする課題】
【０００５】
しかしながら、上述した特許文献１及び２のそれぞれに記載されている従来の水洗大便器においては、便座及び便蓋が回動可能に取り付けられるヒンジ部が、スカート部よりも上方の便器本体の上面に露出するように設けられているため、ヒンジ部やその周辺部分に汚れが溜まりやすく、水洗大便器の清掃性を向上させる妨げとなっているという問題がある。
また、上述した従来の水洗大便器においては、便座及び便蓋のヒンジ部の汚れを長期間放置し続けると、便座及び便蓋の回動機能も損なわれる可能性もあるという問題がある。
さらに、近年では、水洗大便器の機能性や清掃性を高めつつ、便蓋が便器本体の便座を覆った状態で、便器本体のスカート部と便蓋との構造的な外観の一体性を高めることにより、いかに水洗大便器の外観の意匠性を向上させるかについても要請された課題となっている。
【０００６】
そこで、本発明は、上述した従来技術の問題や要請された課題を解決するためになされたものであり、機能性や清掃性を高めつつ、意匠性を向上させることもできる水洗大便器を提供することを目的としている。
【課題を解決するための手段】
【０００７】
上述した目的を達成するために、本発明は、給水源から供給される洗浄水によって洗浄されて汚物を排出する水洗大便器であって、ボウル部と、このボウル部の後方に設けられた機能部と、上記ボウル部の下方に入口部が接続されて、上記ボウル部内の汚物を排出する排水路と、上記ボウル部、上記機能部、及び上記排水路のそれぞれについて側方から覆うように設けられたスカート部と、このスカート部に対して回動可能に設けられて上記ボウル部を上方から覆う便蓋と、を有し、上記スカート部は、上記ボウル部よりも後方且つ上方の上端部における左右方向の中間部において下方に向かって凹状に切り欠いた切欠き部を形成し、この切欠き部の内側には、上記便蓋の回動軸が回動可能に取り付けられるヒンジ部が設けられていることを特徴としている。
このように構成された本発明においては、スカート部が、ボウル部よりも後方且つ上方の上端部における左右方向の中間部において下方に向かって凹状に切り欠いた切欠き部を形成し、この切欠き部の内側には、便蓋の回動軸が回動可能に取り付けられるヒンジ部が設けられているため、ヒンジ部がスカート部の外側に設けられているものに比べて、ヒンジ部やその周辺部分に汚れが溜まり難くすることができる。したがって、便蓋の回動軸やヒンジ部の機能性や清掃性を高めることができる。また、便蓋の回動軸が、スカート部の切欠き部の内側のヒンジ部に回動可能に取り付けられていることにより、便蓋がボウル部を覆った状態では、スカート部と便蓋との構造的な外観の一体性を高めることができ、意匠性を向上させることもできる。
【０００８】
本発明において、好ましくは、上記ヒンジ部は、その位置が前後方向に調整可能に上記切欠き部の内側に設けられている。
このように構成された本発明においては、ヒンジ部の位置が前後方向に調整可能にスカート部の切欠き部の内側に設けられているヒンジ部により、スカート部及び便蓋の前後方向の設置スペースに応じて、ヒンジ部の前後方向の位置を適宜調整して位置決めすることができる。したがって、水洗大便器を設置スペースに設置する際に、施工負担を軽減することができる。
【０００９】
本発明において、好ましくは、上記切欠き部には、上記機能部の一部が配置されている。
このように構成された本発明においては、機能部の一部が切欠き部に配置されていることにより、この機能部の一部について施工したり、メンテナンスしたりする際に、切欠き部から機能部の一部に容易にアクセスすることができる。したがって、施工性やメンテナンス性を高めることができる。
【００１０】
本発明において、好ましくは、上記便蓋は、上記ボウル部を上方から覆うと共に、上記スカート部を上方から覆うように構成されている。
このように構成された本発明においては、便蓋がボウル部を上方から覆うと共に、スカート部を上方から覆うように構成されていることにより、便蓋がボウル部及びスカート部のそれぞれを同時に覆うことができると共に、ボウル部及びスカート部のそれぞれについて上方から確実に保護することができる。また、便蓋がスカート部を覆った状態では、スカート部と便蓋との構造的な外観の一体性を高めることができ、意匠性を向上させることもできる。
【発明の効果】
【００１１】
本発明の水洗大便器によれば、機能性や清掃性を高めつつ、意匠性を向上させることもできる。
【図面の簡単な説明】
【００１２】
【図１】本発明の一実施形態による水洗大便器を示す斜視図であり、便蓋を閉鎖した状態を示す。
【図２】本発明の一実施形態による水洗大便器を示す斜視図であり、便器本体に対して便座及び便蓋を上方位置まで回動させた状態を示す。
【図３】図１に示す本発明の一実施形態による水洗大便器における左右方向の中央断面を左側から見た断面図である。
【図４】図２に示す本発明の一実施形態による水洗大便器における左右方向の中央断面を右側から見た断面図である。
【図５】本発明の一実施形態による水洗大便器の便器本体の分解斜視図である。
【図６】本発明の一実施形態による水洗大便器の便器本体の背面図である。
【図７】本発明の一実施形態による水洗大便器に便器補助部材を取り付けた状態の斜視図である。
【図８】本発明の一実施形態による水洗大便器の便器本体のスカート部及び便蓋における後方側部分を拡大した部分拡大平面図である。
【発明を実施するための形態】
【００１３】
つぎに、添付図面を参照して、本発明の一実施形態による水洗大便器を説明する。
まず、図１は、本発明の一実施形態による水洗大便器を示す斜視図であり、便蓋を閉鎖した状態を示し、図２は、本発明の一実施形態による水洗大便器を示す斜視図であり、便器本体に対して便座及び便蓋を上方位置まで回動させた状態を示す。
また、図３は、図１に示す本発明の一実施形態による水洗大便器における左右方向の中央断面を左側から見た断面図であり、図４は、図２に示す本発明の一実施形態による水洗大便器における左右方向の中央断面を右側から見た断面図である。
【００１４】
図１〜図４に示すように、本発明の一実施形態による水洗大便器１は、陶器製の便器本体２と、この便器本体２の上面に配置された便座４（詳細は後述する）と、この便座４を覆うように配置された便蓋６（詳細は後述する）と、便器本体２の後方に配置された機能部８とを備えている。
また、図３及び図４に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２とを備えている。
【００１５】
つぎに、図５は、本発明の一実施形態による水洗大便器の便器本体の分解斜視図である。
図２〜図５に示すように、便器本体２は、汚物を受けるボウル部１４と、このボウル部１４の上縁に設けられたリム部１６と、ボウル部１４の下方に入口部１８ａが接続されて、ボウル部１４内の汚物を排出する排水路である排水トラップ管路１８と、ボウル部１４及び排水トラップ管路１８のそれぞれに対して側方から覆うように設けられたスカート部２０（詳細は後述する）とを備えている。
【００１６】
また、図３に示すように、リム部１６の内周部における左右方向の右側領域における前後方向の中間部付近には、リム吐水口２２（吐水部）が形成されており、このリム吐水口２２から後方側に向けてボウル部１４の縁に沿って洗浄水が吐水されることにより、ボウル部１４内に旋回流が形成されるようになっている。ここで、図３及び図４に示すように、リム吐水口２２の上流側に形成される導水路２４の上流側は、給水源である水道（図示せず）に直結されており、この水道（図示せず）の給水圧力により、リム吐水口２２から洗浄水が吐出されるようになっている。
【００１７】
さらに、図３及び図４に示すように、ボウル部１４の底部には、排水トラップ管路１８の入口部１８ａに差し向けられるようにジェット吐水口２６が形成されている。このジェット吐水口２６による吐水に関しては、給水系機能部１２に設けられている貯水タンク（図示せず）に貯水された洗浄水が、給水系機能部１２の加圧ポンプ（図示せず）によって加圧されて、ジェット吐水口２６から吐出されるようになっている。また、ジェット吐水口２６から吐出された洗浄水は、排水トラップ管路１８の入口部１８ａから、この入口部１８ａの後方側の上昇管路１８ｂ内に流入した後、この上昇管路１８ｂ内を排水トラップ管路１８の頂部１８ｃから下降管路１８ｄに流出するようになっている。
【００１８】
つぎに、衛生洗浄系機能部１０及び給水系機能部１２のそれぞれの具体的な構造については、従来のものと同様であるため、詳細な説明については省略するが、図３及び図４に示すように、衛生洗浄系機能部１０には、ボウル部１４の上方の使用者に向けて洗浄水を噴射するノズル装置２８（ノズル部）を含む局部洗浄装置３０が設けられている。その他、衛生洗浄系機能部１０には、局部洗浄装置３０に供給される洗浄水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
一方、給水系機能部１２の給水路（図示せず）は、その上流側が給水源である水道（図示せず）に接続されており、貯水タンク（図示せず）の上流側の給水路には、定流量弁（図示せず）、電磁弁（図示せず）、貯水タンク（図示せず）への給水とリム吐水口２２への吐水とを切り替える切替弁（図示せず）等が設けられている。また、給水系機能部１２には、これら以外にも、電磁弁（図示せず）の開閉操作、切替弁（図示せず）の切替操作、及び、加圧ポンプ（図示せず）の回転数や作動時間等を制御するコントローラ（図示せず）等が設けられている。
【００１９】
なお、本実施形態による水洗大便器１においては、リム吐水口２２によるリム吐水について水道の給水圧力を利用して行い、ジェット吐水口２６によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。すなわち、他の形態として、水道のみから直接的に供給される洗浄水について、バルブを切り替えることによってリム吐水口２２によるリム吐水とジェット吐水口２６によるジェット吐水とを切り替えるような形態であってもよいし、貯水タンク内の洗浄水について、ポンプのみを切り替えることによって、リム吐水口２２によるリム吐水とジェット吐水口２６によるジェット吐水とを切り替えるような形態であってもよい。
【００２０】
つぎに、図１〜図８を参照して、本実施形態の水洗大便器１の便器本体２におけるリム部１６及びスカート部２０、並びに、便座４及び便蓋６の詳細について説明する。
図６は、本発明の一実施形態による水洗大便器の便器本体の背面図である。
図１〜図６に示すように、便器本体２のスカート部２０は、ボウル部１４よりも後方側の側面２０ａが衛生洗浄系機能部１０の左右方向の両側を覆うようにリム部１６の上面１６ａよりも上方に突出して且つ内側に窄まるように形成されており、衛生洗浄系機能部１０の最上面１０ａは、スカート部２０の上部に配置されている。そして、衛生洗浄系機能部１０の上方には、カバー部材３２が上方から取り外し可能に取り付けられている。
これにより、衛生洗浄系機能部１０の側面と、これに対向するスカート部２０の内側側面との間に隙間がなくなり、この隙間から汚れが付着することを防ぐことができ、清掃性を高めることができるようになっている。
また、衛生洗浄系機能部１０の側面と、これに対向するスカート部２０の内側側面との間に隙間がなくなることにより、スカート部２０の外側が被水した場合であっても、隙間から衛生洗浄系機能部１０内に水が浸入することを防ぐこともできるようになっている。
さらに、衛生洗浄系機能部１０の最上面１０ａがスカート部２０の上部に配置されていると共に、衛生洗浄系機能部１０の上方にはカバー部材３２が上方から取り外し可能に取り付けられていることにより、例えば、衛生洗浄系機能部１０の局部洗浄装置３０やその他の機器についてメンテナンス等を行う際に、衛生洗浄系機能部１０に対して上方側（使用者側）からアクセスしやすくなるため、メンテナンス性を高めることができるようになっている。
また、ボウル部１４よりも後方側のスカート部２０の側面２０ａが衛生洗浄系機能部１０の左右方向の両側を覆うようにリム部１６の上面１６ａよりも上方に突出して且つ内側に窄まるように形成されていることにより、ボウル部１４、リム部１６及びスカート部２０の構造的な外観の一体性を高めることができ、意匠性を向上させることもできるようになっている。
【００２１】
つぎに、図３〜図５に示すように、衛生洗浄系機能部１０の下面とリム部１６の後方側領域の上面１６ａとの間には、シール部材３４が設けられている。これにより、例えば、ボウル部１４内の洗浄水がリム部１６の後方側領域の上面１６ａと衛生洗浄系機能部１０の下面との間に浸入したとしても、シール部材３４が衛生洗浄系機能部１０の内部に水が浸入することを防ぐことができるようになっている。
【００２２】
つぎに、図３〜図５に示すように、スカート部２０の上面は、ほぼ水平に形成された水平部２０ｂと、この水平部２０ｂの後端２０ｃから衛生洗浄部の側方側を覆うように上方に突出する突出部２０ｄとを備えている。
また、図５に示すように、リム部１６の外縁部の下面１６ｂは、便器本体２の製造工程において、スカート部２０の上面の水平部２０ｂ及び突出部２０ｄの双方に接着されるようになっている。これにより、リム部１６をスカート部２０の上面に対して確実に接着して固定することができるようになっている。また、リム部１６とスカート部２０との接着部分を目立たなくすることができるため、リム部１６とスカート部２０との構造的な一体性を高めることができ、意匠性を向上させることもできるようになっている。
【００２３】
つぎに、図３に示すように、リム吐水口２２は、便器本体２の左右方向の一方側（便器本体２の左右方向の右側）のリム部１６の内周面における前後方向の中間部付近に形成されており、給水源である水道（図示せず）から導水路２４を経てリム吐水口２２に導かれた洗浄水を後方に向けて吐水するようになっている。
また、図３及び図５に示すように、リム吐水口２２付近のリム部１６の上面１６ａ付近及びこの付近よりも後方側における左右両側のスカート部２０の上面の突出部２０ｄは、リム吐水口２２付近のリム部１６の上面１６ａ付近から後方側に向かって徐々に上方に突出するように形成されており、リム吐水口２２から後方に向けて洗浄水Ｗが吐水された際に、この吐水された洗浄水Ｗがリム部１４の後方側領域において外側に飛び出すことを抑制することができるようになっている。
【００２４】
つぎに、図２〜図４に示すように、衛生洗浄系機能部１０の局部洗浄装置３０のノズル装置２８は、使用前の待機状態のノズル本体３６がリム部１６の後方側領域Ｒ１の上方に位置し、使用状態のノズル本体３８先端部３８ａがボウル部１４の上方の所定位置まで伸長して、便座４上の使用者に向けて所定方向に洗浄水を噴射するようになっている。
また、図２〜図４に示すように、リム部１６の後方側領域Ｒ１の上面の高さ位置Ｐ１は、使用状態のノズル本体３８の先端部３８ａがボウル部１４の上縁の高さ位置Ｐ２と同一の高さ位置付近で水没しないように、リム部１６の前方側領域Ｆ１の上面の高さ位置Ｐ３と同一高さ位置に設定されている。
なお、リム部１６の後方側領域Ｒ１の上面の高さ位置Ｐ１については、リム部１６の前方側領域Ｆ１の上面の高さ位置Ｐ３よりも高い高さ位置に設定されていてもよい。
これにより、使用状態の局部洗浄装置３０のノズル装置２８のノズル本体３８について、その先端部３８ａがボウル部１４の上縁の高さ位置Ｐ２と同一の高さ位置付近で水没することなく、ボウル部１４の上方の所定位置まで伸長させやすくすることができるようになっている。
また、使用状態の局部洗浄装置３０のノズル装置２８のノズル本体３８がボウル部１４内で水没することによって局部洗浄装置３０のノズル装置２８に故障や不具合が発生することを防ぐことができるようになっている。
【００２５】
つぎに、図６に示すように、スカート部２０は、その外周面が上下方向の中間部Ｍ付近から下方に向かって窄まる形状に形成されている。これにより、例えば、このスカート部２０の外周面の窄まる形状部分に、水洗大便器１を持ち運びするための便器補助部材４０を取り付けることができ、水洗大便器１を容易に持ち運びすることができるようになっている。
ここで、図７は、本発明の一実施形態による水洗大便器に便器補助部材を取り付けた状態の斜視図である。
図７に示すように、便器補助部材４０については、従来のものと同様であるため、詳細な説明については省略するが、水洗大便器１の製品出荷時に水洗大便器１のスカート部２０の周囲に装着される梱包部材の一部である内装材であり、段ボール紙等によって形成されている。
例えば、まず、水洗大便器１を所定の設置場所に設置する作業を行う前に、図７に示すように、便器補助部材４０の底面開口部４０ａの中に便器本体２のスカート部２０の下方部分から挿入されることにより、便器補助部材４０の底面開口部４０ａの開口断面積よりも大きい断面積を有するスカート部２０の外周面の上下方向の中間部Ｍが、便器補助部材４０の底面開口部４０ａによって保持される。
そして、水洗大便器１を所定の設置場所に設置する際には、水洗大便器１の前後の各施工者が、便器補助部材４０の両側に一対ずつ設けられた前側手掛け部４０ｂ及び後側手掛け部４０ｃのそれぞれに手を掛けて持ち上げて移動することにより、便器補助部材４０と水洗大便器１を所定の設置位置まで容易に持ち運びすることができるようになっている。
【００２６】
つぎに、図１に示すように、スカート部２０の外側表面積Ａ１は、便蓋６の外側表面積Ａ２及びスカート部２０の外側表面積Ａ１の総面積Ａ３（Ａ３＝Ａ１＋Ａ２）に対して６０％〜７０％に設定されている。これにより、水洗大便器１における便蓋６以外の大半の部分をスカート部２０で占有することができ、便器本体２のボウル部１４や排水トラップ管路１８等の内部構造についてスカート部２０で保護することができるようになっている。また、水洗大便器１の大半を占有する便器本体２のスカート部２０により、水洗大便器１の構造的な外観の一体性を高めることができるため、意匠性を向上させることもできるようになっている。
【００２７】
つぎに、図３に示すように、便座４は、衛生洗浄系機能部１０の上方のカバー部材３２及び便器本体２のリム部１６の上面１６ａを上方から覆うように設けられている。これにより、便座４が便器本体２のリム部１６の上面１６ａに接触した状態では、便座４がリム部１６の上面１６ａを保護することができるようになっており、また、便座４がカバー部材３２と共に、衛生洗浄系機能部１０の上面を保護することができるようになっている。
さらに、便座４によって、衛生洗浄系機能部１０の上方のカバー部材３２の上面及びリム部１６の上面１６ａを隠蔽して目立たなくすることができ、意匠性を向上させることもできるようになっている。
【００２８】
つぎに、図３に示すように、便蓋６は、便座４の全体を上方から覆うように設けられている。水洗大便器１を使用しないときには、通常、便蓋６で便座４を覆うことにより、便座４を保護することができるようになっている。また、便蓋６で便座４を覆うことにより、便座４や便器本体２のボウル部１４内を隠蔽して目立たなくすることができるため、意匠性を向上させることもできるようになっている。
【００２９】
また、図３に示すように、便蓋６は、便座４を介して便器本体２のボウル部１４を上方から覆うと共に、スカート部２０を上方から覆うようになっていることにより、便蓋６が便座４を介して便器本体２のボウル部１４及びスカート部２０のそれぞれを同時に覆うことができると共に、ボウル部１４及びスカート部２０のそれぞれについて上方から確実に保護することができるようになっている。
さらに、図１及び図６に示すように、便蓋６がスカート部２０を覆った状態では、スカート部２０と便蓋６との構造的な外観の一体性を高めることができ、意匠性を向上させることもできるようになっている。
【００３０】
つぎに、図８は、本発明の一実施形態による水洗大便器の便器本体のスカート部及び便蓋における後方側部分を拡大した部分拡大平面図である。
図３、図４、図６及び図８に示すように、便器本体２のスカート部２０は、ボウル部１４及びリム部１６よりも後方且つ上方の上端部における左右方向の中間部において下方に向かって凹状に切り欠いた切欠き部４２を形成している。
なお、図８に示すように、切欠き部４２には、通常、切欠き部４２の内部を隠蔽するための化粧パネル４４が取り付けられているが、図３、図４及び図６に示す切欠き部４２については、化粧パネル４４を取り外した状態を示している。
また、図３、図４、図６及び図８に示すように、切欠き部４２の内側には、便座４及び便蓋６のそれぞれの回動軸４６，４８が回動可能にそれぞれ取り付けられるヒンジ部である軸受フレーム５０が設けられている。これにより、便座４及び便蓋６の各回動軸４６，４８やこれらのヒンジ部である軸受フレーム５０がスカート部２０の切欠き部４２の外側に露出して設けられているものに比べて、軸受フレーム５０やその周辺の便座４及び便蓋６の各回動軸４６，４８に汚れが溜まり難くすることができるようになっており、便座４及び便蓋６の各回動軸４６，４８の機能性や清掃性を高めることができるようになっている。
さらに、便蓋６の回動軸４８が、スカート部２０の切欠き部４２の内側の軸受フレーム５０に回動可能に取り付けられていることにより、便蓋６がボウル部１４及び便座４を覆った状態では、スカート部２０と便蓋６との構造的な外観の一体性を高めることができ、意匠性を向上させることもできるようになっている。
【００３１】
つぎに、図３、図４、図６及び図８に示すように、軸受フレーム５０は、衛生洗浄系機能部１０の下方に配置されているベースプレート５２（図６参照）と共に便器本体２に対して前後方向に所定距離Ｌ１（図８参照）だけ摺動可能となっており、便器本体２のスカート部２０の切欠き部４２に対する軸受フレーム５０の前後方向の位置、並びに、便座４及び便蓋６の各回動軸４６，４８の前後方向の位置が調整可能となっている。
これにより、水洗大便器１を設置場所に設置する際に、便器本体２のスカート部２０及び便蓋６の前後方向の設置スペースに応じて、軸受フレーム５０の前後方向の位置、並びに、便座４及び便蓋６の各回動軸４６，４８の前後方向の位置を適宜調整して位置決めすることができ、施工負担を軽減することができるようになっている。
【００３２】
つぎに、図６に示すように、スカート部２０の切欠き部４２の内側には、衛生洗浄系機能部１０の換気を行うための換気ダクト５４が衛生洗浄系機能部１０の一部として配置されており、また、機能部８の一部である照明装置５６等も配置されている。これにより、換気ダクト５４等の衛生洗浄系機能部１０の一部や照明装置５６等の機能部８の一部について施工したり、メンテナンスしたりする際には、化粧パネル４４を取り外すことにより、スカート部２０の切欠き部４２から機能部８の一部に容易にアクセスすることができ、施工性やメンテナンス性を高めることができるようになっている。
【００３３】
つぎに、上述した本発明の一実施形態による水洗大便器１における作用について説明する。
まず、上述した本発明の一実施形態による水洗大便器１によれば、便器本体２のスカート部２０が、ボウル部１４及びリム部１６よりも後方且つ上方の上端部における左右方向の中間部において下方に向かって凹状に切り欠いた切欠き部４２を形成し、この切欠き部４２の内側には、便座４及び便蓋６のそれぞれの回動軸４６，４８が回動可能にそれぞれ取り付けられるヒンジ部である軸受フレーム５０が設けられているため、便座４及び便蓋６の各回動軸４６，４８やこれらのヒンジ部である軸受フレーム５０がスカート部２０の切欠き部４２の外側に露出して設けられているものに比べて、軸受フレーム５０やその周辺の便座４及び便蓋６の各回動軸４６，４８に汚れが溜まり難くすることができる。したがって、便座４及び便蓋６の各回動軸４６，４８の機能性や清掃性を高めることができる。
また、便蓋６の回動軸４８が、スカート部２０の切欠き部４２の内側の軸受フレーム５０に回動可能に取り付けられていることにより、便蓋６がボウル部１４及び便座４を覆った状態では、スカート部２０と便蓋６との構造的な外観の一体性を高めることができ、意匠性を向上させることもできる。
【００３４】
つぎに、本実施形態による水洗大便器１によれば、軸受フレーム５０は、衛生洗浄系機能部１０の下方に配置されているベースプレート５２（図６参照）と共に便器本体２に対して前後方向に所定距離Ｌ１（図８参照）だけ摺動可能となっており、便器本体２のスカート部２０の切欠き部４２に対する軸受フレーム５０の前後方向の位置、並びに、便座４及び便蓋６の各回動軸４６，４８の前後方向の位置が調整可能となっているため、水洗大便器１を設置場所に設置する際に、便器本体２のスカート部２０及び便蓋６の前後方向の設置スペースに応じて、軸受フレーム５０の前後方向の位置、並びに、便座４及び便蓋６の各回動軸４６，４８の前後方向の位置を適宜調整して位置決めすることができ、施工負担を軽減することができる。
【００３５】
つぎに、本実施形態による水洗大便器１によれば、スカート部２０の切欠き部４２の内側には、衛生洗浄系機能部１０の換気を行うための換気ダクト５４が衛生洗浄系機能部１０の一部として配置されており、また、機能部８の一部である照明装置５６等も配置されているため、換気ダクト５４等の衛生洗浄系機能部１０の一部や照明装置５６等の機能部８の一部について施工したり、メンテナンスしたりする際には、化粧パネル４４を取り外すことにより、スカート部２０の切欠き部４２から機能部８の一部に容易にアクセスすることができる。したがって、施工性やメンテナンス性を高めることができる。
【００３６】
つぎに、本実施形態による水洗大便器１によれば、便座４を介して便器本体２のボウル部１４を上方から覆うと共に、スカート部２０を上方から覆うようになっていることにより、便蓋６が便座４を介して便器本体２のボウル部１４及びスカート部２０のそれぞれを同時に覆うことができると共に、ボウル部１４及びスカート部２０のそれぞれについて上方から確実に保護することができる。
また、便蓋６がスカート部２０を覆った状態では、スカート部２０と便蓋６との構造的な外観の一体性を高めることができ、意匠性を向上させることもできる。
【符号の説明】
【００３７】
１    水洗大便器
２    便器本体
４    便座
６    便蓋
８    機能部
１０    衛生洗浄系機能部
１０ａ  衛生洗浄系機能部の最上面
１２    給水系機能部
１４    ボウル部
１６    リム部
１６ａ  リム部の上面
１６ｂ  リム部の外縁部の下面
１８    排水トラップ管路（排水路）
１８ａ  入口部
１８ｂ  上昇管路
１８ｃ  頂部
１８ｄ  下降管路
２０    スカート部
２０ａ  ボウル部よりも後方側のスカート部の側面
２０ｂ  スカート部の上面の水平部
２０ｃ  スカート部の上面の水平部の後端
２０ｄ  スカート部の上面の突出部
２２    リム吐水口
２４    導水路
２６    ジェット吐水口
２８    ノズル装置
３０    局部洗浄装置
３２    カバー部材
３４    シール部材
３６    待機状態のノズル本体
３８    使用状態のノズル本体
３８ａ  使用状態のノズル本体の先端部
４０    便器補助部材
４０ａ  底面開口部
４０ｂ  前側手掛け部
４０ｃ  後側手掛け部
４２    便器本体のスカート部の切欠き部
４４    化粧パネル
４６    便座の回動軸
４８    便蓋の回動軸
５０    軸受フレーム（ヒンジ部）
５２    ベースプレート
５４    換気ダクト
５６    照明装置
Ａ１    便器本体のスカート部の外側表面積
Ａ２    便蓋の外側表面積
Ａ３    便器本体のスカート部の外側表面積及び便蓋の外側表面積の総面積
Ｆ１    リム部の前方側領域
Ｍ      スカート部の外周面における上下方向の中間部
Ｐ１    リム部の後方側領域の上面の高さ位置
Ｐ２    ボウル部の上縁の高さ位置
Ｐ３    リム部の前方側領域の上面の高さ位置
Ｒ１    リム部の後方側領域
【図１】
0006583680.tif 000002
【図２】
0006583680.tif 000003
【図３】
0006583680.tif 000004
【図４】
0006583680.tif 000005
【図５】
0006583680.tif 000006
【図６】
0006583680.tif 000007
【図７】
0006583680.tif 000008
【図８】
0006583680.tif 000009